(57)【要約】【課題】  夜間において車両のヘッドライトや照明器具の光を反射させ、さらには光の照射されない状態でも自然発光させることで、通常の夜間は基より、災害発生時の暗闇でも、より高い安全性を確保することができる防災用作業着および運動着を提供すること。【解決手段】  本発明の防災用作業着および運動着は、衣服を形成する布基材上に、蓄光部とアルミ箔部とを備えることを特徴とする。また、前記蓄光部は白色ペイント層と蓄光剤層とで形成される。また前記アルミ箔部に、ウエルダー加工により熱圧着される接着剤層を備えた。さらに布基材上に、蓄光部とグリッター部とを備えた。【選択図】      図１
2006283261.tif 000002
【特許請求の範囲】
【請求項１】
衣服を形成する布基材上に、蓄光部とアルミ箔部とを備えたことを特徴とする防災用作業着および運動着。
【請求項２】
前記蓄光部は白色ペイント層と蓄光剤層とで形成される請求項１記載の防災用作業着および運動着。
【請求項３】
前記アルミ箔部に、ウエルダー加工により熱圧着される接着剤層を備えた請求項１または２記載の防災用作業着および運動着。
【請求項４】
前記布基材上に、蓄光部とグリッター部とを備えた請求項１記載の防災用作業着および運動着。
【発明の詳細な説明】
【技術分野】
【０００１】  本発明は、暗闇で自然発光する蓄光部と、光を反射させるアルミ箔部もしくはグリッター部を備えることで、通常の夜間は基より、災害発生時においてもより高い安全性が得られる防災用作業着および運動着に関する。
【背景技術】
【０００２】  従来、通常の作業着の感覚で着用でき、しかも夜間作業に安全な十分な視認性を与えることができる作業着がある（例えば、特許文献１参照）。
上掲特許文献１には、前面、背面および側面の少なくともいずれかに反射テープが縫い付けられている。
【特許文献１】特開２０００−１７５０７号公報（第１頁、図１）
【０００３】  また、夕方や夜間等のウォーキング等の運動において、十分な安全性を確保し、かつ製作に手間のかからず廉価な運動着がある（例えば、特許文献２参照）。
上掲特許文献２には、運動着の上衣の前身ごろと長袖と下衣の正面左側に反射部を形成し、同時に下衣の後身ごろと長袖と下衣の背面左側にもそれぞれ反射部を形成した。
【特許文献２】実用新案登録第３０８１２２７号公報（第１頁、図１）
【発明の開示】
【発明が解決しようとする課題】
【０００４】  特許文献１の作業着および特許文献２の運動着においては、外部から照射される光を反射部にて反射させることにより、車両や周囲の人々に存在を知らせ、夜間の作業や運動の安全性を付与させることを特徴としている。しかしながら、前記反射部は光が照射されない状態では反射材が視覚判断されにくいため、災害時に停電が発生した場合、高い安全性を確保するまでには至らなかった。【０００５】  そこで本発明は上記の点に鑑み、夜間において車両のヘッドライトや照明器具の光を反射させ、さらには光の照射されない状態でも自然発光させることで、通常の夜間は基より、災害発生時においてもより高い安全性を確保することができる防災用作業着および運動着を提供することにある。
【課題を解決するための手段】
【０００６】  上記課題を解決するために、本発明の防災用作業着および運動着は、衣服を形成する布基材上に、蓄光部とアルミ箔部とを備えることを特徴とする。また前記蓄光部は、白色ペイント層と蓄光剤層とで形成される。また前記アルミ箔部に、ウエルダー加工により熱圧着される接着剤層を備えた。さらに、前記布基材上に蓄光部とグリッター部とを備えた。
【発明の効果】
【０００７】  衣服を形成する布基材上に蓄光部を備えることで、太陽光や照明器具からの照射光を蓄光し暗闇で自然発光することができる。また、アルミ箔部にて車両のヘッドライトや照明器具の光を反射させることができる。そのため、夜間における作業時やジョギング等の運動時は基より、災害が発生した際の暗闇の状態でも高い安全性を確保することができる。また前記蓄光部は白色ペイント層と蓄光剤層とで形成されているため、蓄光剤の輝度を一層高めることができる。またアルミ箔部に、ウエルダー加工により熱圧着される接着剤層を備えることで、作業工程を簡便化しコスト削減も実現できる。さらに、布基材上に蓄光部とグリッター部とを備えたことで、布基材の材質により熱圧着ができない場合でも、グリッター部にて反射効果を発揮させることができる。
【発明を実施するための最良の手段】
【０００８】  以下、本発明における防災用作業着および運動着の実施の形態を図面に基づいて説明する。
図１は、本発明における防災用作業着および運動着の拡大断面図を示すもので、かかる作業着および運動着は、衣服を形成する布基材１上に、蓄光部２とアルミ箔部５とを備えることにより形成されている。
【０００９】  前記蓄光部２に使用される蓄光剤は、光を蓄え自然発光が可能な素材、例えば、アルミン酸ストロンチューム系の素材が挙げられる。またその他、周知の金属化合物や希土類を複数混合させ、汎用の展色剤を混合して生成するものを使用してもよい。なお、前記蓄光剤に混入させる接着剤としては、身体の安全性を考慮した場合、ホルマリンを使用していない接着剤を用いることが好ましい。
【００１０】  前記蓄光剤は、日中の太陽光や照明器具からの光を蓄光し、暗闇において蓄光部２全体から蛍光色を自然発光させることができる。そのため、夜間における工事や交通整理等の作業、またジョギング等の運動の際、車両や周囲の人々に明確に認識できて安全性を高めることができる。
【００１１】  アルミ箔部５は、アルミニウムを圧延し薄紙のように伸ばしたアルミ箔６からなり、夜間において、車両のヘッドライトや照明器具の照射光をキラキラと反射させることができ、その存在を明確に目認することができる。
【００１２】  また、他の好適例として、前記蓄光部２を白色ペイント層４と蓄光剤層３とで形成することが好ましい。前記白色ペイント層４は蓄光剤層３の下面に配設されるもので、白色を有する素材であれば特に限定はされない。前記白色ペイント層４を配設したことで、蓄光剤層３の発光輝度を一層高めることができる。
【００１３】  また、前記アルミ箔部５は布基材１上にウエルダー加工により熱圧着されている。かかるアルミ箔部５のアルミ箔６下面には、熱を加えることより溶融される接着剤層７が備えられている。そのことにより、前記アルミ箔６の上面よりアイロン等を利用して押圧することで接着剤層７が溶融し、布基材１上に容易に、且つ強靭に接着させることができ、作業性が簡便化されコスト削減も実現できる。
【００１４】  また、他の好適例として、図２に示すように、前記布基材１上に前記蓄光部２とグリッター部８とを備えた。前期グリッター部８は、外部からの光をキラキラ輝く状態で反射させる特徴を有するグリッター９と、かかるグリッター９の下部に設けられた接着剤１０とで構成されている。前記グリッター９は反射効率の高い素材であれば、材質や種類等は特に限定されるものではない。前記グリッター部８とを備えたことで、布基材１の材質により熱圧着ができない場合でも、グリッター部８を粘着させることができて反射効果を発揮させることができる。
【００１５】  次に、図３及び図４に基づいて、本発明の防災用作業服の詳細を説明する。
図３の（ａ）は作業着２０の上着２１の前面を、（ｂ）は後面を表す。（ａ）に示す上着２１には、胸部と腹部にそれぞれ蓄光部２とアルミ箔部５もしくはグリッター部８が設けられている。また、両腕部にも蓄光部２とアルミ箔部５もしくはグリッター部８が設置されている。さらに（ｂ）に示すように、後面にも蓄光部２とアルミ箔部５もしくはグリッター部８が設置されている。
【００１６】  図４は、作業着２０のズボン２２を表すもので、特に目立つ前面および側面に蓄光部２とアルミ箔部５もしくはグリッター部８とを配列させている。また、ズボン２２の裏面においても、任意の箇所に蓄光部２とアルミ箔部５もしくはグリッター部８とを配列させることが好ましい。なお、前記蓄光部２とアルミ箔部５もしくはグリッター部８を上着２１やズボン２２に設置する箇所や数量等は特に限定されたものではなく、外部からの認識力が高く、且つ作業性に支障のない箇所であれば、如何なる箇所であってもよい。
【００１７】  前記作業着２０の上着２１やズボン２２の任意箇所に前記蓄光部２とアルミ箔部５もしくはグリッター部８を設置することで、図６に示すように、蓄光剤層３により日中の太陽光や照明器具からの光を蓄光し、暗闇において蓄光部２全体から蛍光色を自然発光させることができる。またアルミ箔部５もしくはグリッター部８においては、夜間、車両のヘッドライトや照明器具の照射光をキラキラと反射させることができ、その存在を明確に目認することができる。そのことにより、夜間の工事作業や車両の誘導時における安全性を向上させることができる。さらに、また、夜間に災害が発生し停電が生じた場合でも、安全性を確保することができる。
【００１８】  図５の（ａ）は、運動着３０の上着３１を、（ｂ）はズボン３２を表す。前記上着３１の腹部と両腕部には蓄光部２とアルミ箔部５もしくはグリッター部８がそれぞれ設置されている。また、ズボン３２の前面または両側面にも蓄光部２とアルミ箔部５もしくはグリッター部８が設置されている。そのことにより、図７に示すように、運動着３０を着衣した状態で夜間、ウォーキングやジョギング等の運動をした際、蓄光剤層３により日中の太陽光や照明器具からの光を蓄光し、暗闇において蓄光部２が自然発光する。また、アルミ箔部５もしくはグリッター部８においては、車両のヘッドライトや照明器具の照射光をキラキラと反射させることができる。そのため、暗闇でもその存在を明確に目認することができ、夜間に実施する運動の安全性を確保できる。また、夜間に災害が発生し停電が生じた場合でも、安全性を確保することができる。なお、前記蓄光部２とアルミ箔部５もしくはグリッター部８を上着３１やズボン３２に設置する箇所や数量等は特に限定されたものではなく、外部からの認識力が高く、運動に支障のない箇所であれば如何なる箇所であってもよい。
【図面の簡単な説明】
【００１９】
【図１】本発明における防災用作業着および運動着の拡大断面図である。
【図２】他の好適例を示す防災用作業着および運動着の拡大断面図である。
【図３】（ａ）は作業着の上着の前面を、（ｂ）は後面をそれぞれ表す。
【図４】作業着のズボンの正面図である。
【図５】（ａ）は運動着の上着を、（ｂ）はズボンをそれぞれ表す。
【図６】作業着を着衣した使用状態である。
【図７】運動着を着衣した使用状態である。
【符号の説明】
【００２０】１    布基材
２    蓄光部
３    蓄光剤層
４    白色ペイント層
５    アルミ箔部
６    アルミ箔
７    接着剤層
８    グリッター部
９    グリッター
１０  接着剤
２０  作業着
２１  上着
２２  ズボン
３０  運動着
３１  上着
３２  ズボン
【図１】
2006283261.tif 000003
【図２】
2006283261.tif 000004
【図３】
2006283261.tif 000005
【図４】
2006283261.tif 000006
【図５】
2006283261.tif 000007
【図６】
2006283261.tif 000008
【図７】
2006283261.tif 000009